(57)【特許請求の範囲】
【請求項１】
太陽光を受けて発電するソーラーパネルと、前記ソーラーパネルにより発電された電力を充電する蓄電池と、前記蓄電池の充電量を検知する充電量検知手段と、自動販売機の商品展示部の見本商品を照らす照明手段と、前記照明手段の点灯制御方法を選択できる照明モード選択手段と、前記照明手段への電力供給方法を選択する際に前記充電量検知手段により検知した前記蓄電池の充電量の状況を優先するのか前記照明モード選択手段により選択した前記照明手段の点灯制御状態を優先するのかを設定する照明用電力供給モード選択手段と、前記照明手段への電力供給元を商用電源にするか前記蓄電池にするかを切換える供給電力切換え手段とを備え、前記充電量検知手段と前記照明モード選択手段と前記照明用電力供給モード選択手段とを基に、前記供給電力切換え手段にて、前記照明手段への電力供給源を商用電源か蓄電池のいずれかに切換えることを特徴とする自動販売機。
【請求項２】
前記照明用電力供給モード選択手段にて、前記蓄電池の充電量の状況を優先する場合は、前記照明モード選択手段の設定条件に関わらず、前記充電量検知手段で充電量が所定値以上と判断すれば、前記蓄電池の電力を照明手段に供給し、充電量が所定値未満であれば、商用電源からの電力を照明手段に供給することを特徴とする請求項１に記載の自動販売機。
【請求項３】
前記照明用電力供給モード選択手段にて、前記照明手段の点灯制御状態を優先する場合は、前記蓄電池の充電量とは無関係に、照明全灯時は商用電源からの電力を照明手段に供給し、全灯でない時は蓄電池の電力を照明手段に供給することを特徴とする請求項１に記載の自動販売機。
【請求項４】
自動販売機本体の販売対応面の周辺を検知領域とする人体検知手段を設け、前記照明手段に前記蓄電池の電力を供給している場合は、人体検知手段で人がいないと判定している時は、照明手段を消灯するようにしたことを特徴とする請求項１から３のいずれか一項に記載の自動販売機。
【請求項５】
自動販売機の商品選択手段に販売可能判別用ＬＥＤを設け、前記照明モード選択手段にて、照明手段をイルミネーション制御するように設定されている時、前記充電量検知手段に
て、前記蓄電池の充電量が少ないと判定している時は、前記照明手段を消灯し、前記販売可能判別用ＬＥＤにて、イルミネーション制御することを特徴とする請求項１から４のいずれか一項に記載の自動販売機。
【発明の詳細な説明】
【技術分野】
【０００１】
本発明は、太陽電池にて照明用電力を賄う自動販売機に関するものである。
【背景技術】
【０００２】
近年、自動販売機は商品のイメージをよくするために、明るさやきれいさを求めて、ディスプレイにおける照明に多大な電力を消費している。また、自動販売機自体も年々大型化・多セレクション化が進み、自動販売機にて使用する電力が増大する。しかしながら、一方で、環境問題等により省エネルギー化が叫ばれており、使用電力を抑えた省エネルギー自動販売機が求められている。
【０００３】
そして、上述したような要求を満たすため、例えば、特許文献１に開示されているように、自動販売機に、光を電力に変換する太陽電池と、太陽電池にて発生した電力を充電する蓄電池とを備え、蓄電池に充電された電力により自動販売機の照明装置で使用する電力の一部を賄うことにより省エネルギーを図った自動販売機がある。
【先行技術文献】
【特許文献】
【０００４】
【特許文献１】特開平４−３１２１９８号公報
【発明の概要】
【発明が解決しようとする課題】
【０００５】
しかしながら、上記従来の自動販売機では、照明装置の消費電力量が大きい場合、すぐに蓄電池の電力を使いきってしまうという課題を有していた。
【０００６】
本発明は、上記従来の課題を解決するもので、すぐに蓄電池の充電量がなくなったり、蓄電池で点灯している照明手段がすぐに消えることを防止することで、省エネルギー効果を低下させることなく、集客効果を高めることのできる自動販売機を提供することを目的とする。
【課題を解決するための手段】
【０００７】
上記従来の課題を解決するために、本発明の自動販売機は、太陽光を受けて発電するソーラーパネルと、ソーラーパネルにより発電された電力を充電する蓄電池と、蓄電池の充電量を検知する充電量検知手段と、自動販売機の商品展示部の見本商品を照らす照明手段と、照明手段の点灯制御方法を選択できる照明モード選択手段と、照明手段への電力供給方法を選択する際に充電量検知手段により検知した蓄電池の充電量の状況を優先するのか照明モード選択手段により選択した照明手段の点灯制御状態を優先するのかを設定する照明用電力供給モード選択手段と、照明手段への電力供給元を商用電源にするか蓄電池にするかを切換える供給電力切換え手段とを備え、充電量検知手段と照明モード選択手段と照明用電力供給モード選択手段とを基に、供給電力切換え手段にて、照明手段への電力供給源を商用電源か蓄電池のいずれかに切換えるのである。
【０００８】
上記構成において、充電量検知手段と照明モード選択手段と照明用電力供給モード選択手段を基に、供給電力切換え手段にて、照明手段への電力供給源を商用電源か蓄電池に切換えることにより、すぐに蓄電池の充電量がなくなったり、蓄電池で点灯している照明手段がすぐに消えることを防止することができる。
【発明の効果】
【０００９】
本発明の自動販売機は、太陽光を受けて発電するソーラーパネルと、ソーラーパネルにより発電された電力を充電する蓄電池と、蓄電池の充電量を検知する充電量検知手段と、自動販売機の商品展示部の見本商品を照らす照明手段と、照明手段の点灯制御方法を選択できる照明モード選択手段と、照明手段への電力供給方法を選択する際に充電量検知手段により検知した蓄電池の充電量の状況を優先するのか照明モード選択手段により選択した照明手段の点灯制御状態を優先するのかを設定する照明用電力供給モード選択手段と、照明手段への電力供給元を商用電源にするか蓄電池にするかを切換える供給電力切換え手段とを備え、充電量検知手段と照明モード選択手段と照明用電力供給モード選択手段とを基に、供給電力切換え手段にて、照明手段への電力供給源を商用電源か蓄電池のいずれかに切換えることにより、すぐに蓄電池の充電量がなくなったり、蓄電池で点灯している照明手段がすぐに消えることを防止することで、省エネルギー効果を低下させることなく、集客効果を高めることができる。
【図面の簡単な説明】
【００１０】
【図１】本発明の実施の形態を示す自動販売機の正面図
【図２】本発明の実施の形態１による自動販売機の制御装置の機能ブロック図
【図３】同実施の形態の自動販売機の制御装置の動作を示すフローチャート
【発明を実施するための形態】
【００１１】
請求項１に記載の発明は、太陽光を受けて発電するソーラーパネルと、前記ソーラーパネルにより発電された電力を充電する蓄電池と、前記蓄電池の充電量を検知する充電量検知手段と、自動販売機の商品展示部の見本商品を照らす照明手段と、前記照明手段の点灯制御方法を選択できる照明モード選択手段と、前記照明手段への電力供給方法を選択する際に前記充電量検知手段により検知した前記蓄電池の充電量の状況を優先するのか前記照明モード選択手段により選択した前記照明手段の点灯制御状態を優先するのかを設定する照明用電力供給モード選択手段と、前記照明手段への電力供給元を商用電源にするか前記蓄電池にするかを切換える供給電力切換え手段とを備え、前記充電量検知手段と前記照明モード選択手段と前記照明用電力供給モード選択手段とを基に、前記供給電力切換え手段にて、前記照明手段への電力供給源を商用電源か蓄電池のいずれかに切換えるものであり、すぐに蓄電池の充電量がなくなったり、蓄電池で点灯している照明手段がすぐに消えることを防止することで、省エネルギー効果を低下させることなく、集客効果を高めることができる。
【００１２】
請求項２に記載の発明は、請求項１に記載の発明において、前記照明用電力供給モード選択手段にて、前記蓄電池の充電量の状況を優先する場合は、前記照明モード選択手段の設定条件に関わらず、前記充電量検知手段で充電量が所定値以上と判断すれば、前記蓄電池の電力を照明手段に供給し、充電量が所定値未満であれば、商用電源からの電力を照明手段に供給するものであり、蓄電池の充電切れによる照明手段が切れることを防止できる。また、充電量検知手段での充電量の判定値を、照明モード選択手段の設定条件に応じて、個々に設けるようにしておけば、例えば、照明手段を全灯時は、判定値を高めにし、全灯でない時は、判定値を低めにすれば、より蓄電池を活用する機会が増え、省エネルギー効果を更に高めることができる。
【００１３】
請求項３に記載の発明は、請求項１に記載の発明において、前記照明用電力供給モード選択手段にて、前記照明手段の点灯制御状態を優先する場合は、前記蓄電池の充電量とは無関係に、照明全灯時は商用電源からの電力を照明手段に供給し、全灯でない時は蓄電池の電力を照明手段に供給するものであり、照明手段での消費電力量が大きい時は商用電源を活用し、照明手段での消費電力量が少ない時は蓄電池を活用することで、蓄電池の寿命を延ばすことができる。
【００１４】
請求項４に記載の発明は、請求項１から３のいずれか一項に記載の発明において、自動販売機本体の販売対応面の周辺を検知領域とする人体検知手段を設け、前記照明手段に前記蓄電池の電力を供給している場合は、人体検知手段で人がいないと判定している時は、照明手段を消灯するようにしたものであり、無人時には蓄電池の無駄な消費を防止でき、省エネルギー効果を更に高めることができる。
【００１５】
請求項５に記載の発明は、請求項１から４のいずれか一項に記載の発明において、自動販売機の商品選択手段に販売可能判別用ＬＥＤを設け、前記照明モード選択手段にて、照
明手段をイルミネーション制御するように設定されている時、前記充電量検知手段にて、前記蓄電池の充電量が少ないと判定している時は、前記照明手段を消灯し、前記販売可能判別用ＬＥＤにて、イルミネーション制御するものであり、集客効果を損なうことなく、省エネルギー効果を高めることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１を示す自動販売機の正面図である。図２は、本実施の形態１における自動販売機の制御装置の機能ブロック図である。図３は、同実施の形態の動作を示すフローチャートである。
【００１８】
図１、図２において、ソーラーパネル１は自動販売機本体２の天面に位置させた状態で保持され、太陽光を受けて発電する。発電効率を高めるため、ソーラーパネル１（自動販売機２の前面側）は南向きに配置することが望ましい。自動販売機２の上部に販売商品を表示する商品展示部４が配置され、商品展示部４の背面には、各々の見本商品を個々に照明する照明手段５が配置されている。
【００１９】
照明手段５は、例えば、発光ダイオード（ＬＥＤ）などで、単色または、複数色を発光可能とするものが用いられ、同一色の照明手段５が配列されたり、異なる色の発光色の照明手段５が交互に配列されたり、複数色を発光可能とする照明手段５が配列され、連続点灯、点滅、順次点灯、順不同に点灯させるランダム点灯、発光色を順次変更点灯、発光色のランダム点灯などの点灯制御（イルミネーション制御）ができる。
【００２０】
商品展示部４に配置された見本商品は、背面側、或いは、上側、或いは、下側からの照明光に対して透光性をしている。
【００２１】
商品展示部４の各々の見本商品の下部には、商品選択手段６が配置されている。商品展示部４の下方には商品のイメージ広告などを掲示する広告パネル室７、金銭投入口８、釣銭返却口９、金額表示手段１０、商品取出し口１１が備えられている。
【００２２】
ソーラーパネル１により発電された電力は、蓄電池３に充電される。蓄電池３に充電された電力量は、充電量検知手段１２にて、検知できる。
【００２３】
照明モード選択手段１３にて、照明手段５を、連続点灯（全灯）させるのか、順次点灯させるのか、ランダム点灯させるのか等、照明手段５の点灯制御方法を選択できる。照明用ＤＣ電源１４は、商用電源を直流化し、照明手段５に電力を供給するものである。
【００２４】
照明用電力供給モード選択手段１５は、照明手段５への電力供給方法を照明用ＤＣ電源から１４の電力を供給するのか、蓄電池３に充電されている電力を供給するのかを選択する際に、蓄電池３の状況を優先するのか、照明手段５の点灯制御状態を優先するのかを設定するものである。
【００２５】
供給電力切換え手段１６は、蓄電池３、或いは、照明用ＤＣ電源１４のいずれかの電力を、照明手段５に供給するものである。制御装置１７ａは、照明手段５、商品選択手段６、金額表示手段１０、充電量検知手段１２、照明モード選択手段１３、照明用電力供給モード選択手段１５、供給電力切換え手段１６と接続されている。
【００２６】
以上のように構成された自動販売機の制御装置について、以下、図３を用いて動作を説
明する。
【００２７】
あらかじめ、照明手段５の点灯制御方法を、連続点灯（全灯）させるのか、順次点灯させるのか、ランダム点灯させるのか、照明モード選択手段１３にて、設定しておく。また、照明用電力供給モード選択手段１５にて、照明手段５への電力供給方法を選択するのに、蓄電池３の充電状況を優先するのか、照明手段５の点灯制御状態を優先するのかを設定しておく。
【００２８】
待機状態において、制御装置１７ａは、照明手段５を点灯するかどうか判断する（ＳＴＥＰ１）。ＳＴＥＰ１にて、昼間で周囲が明るいとか、タイマー機能により照明手段の消灯時間帯のために、照明手段５を消灯する条件の場合は、照明手段５を消灯する（ＳＴＥＰ２）。ＳＴＥＰ１で、照明手段５を点灯する条件の場合、ＳＴＥＰ３に進み、照明用電力供給モード選択手段１５の設定が、蓄電池３の充電状況を優先にされているのか、照明手段５の点灯制御状況を優先にされているのか判断する。照明用電力供給モード選択手段１５で、蓄電池３の充電状況を優先にしている場合、ＳＴＥＰ４に進み、ソーラーパネル１にて発電された電力を充電した蓄電池３の充電量を、充電量検知手段１２にて判断する。充電量検知手段１２にて、蓄電池３の充電量が所定値以上と判断した時は、供給電力切換え手段１６を制御し、蓄電池３の電力を、照明手段５へ供給し、照明手段を点灯する。ＳＴＥＰ４で、充電量検知手段１２にて、蓄電池３の充電量が所定値未満と判断した時は、供給電力切換え手段１６を制御し、商用電源を直流化した照明用ＤＣ電源１４の電力を、照明手段５へ供給し、照明手段を点灯する。
【００２９】
ＳＴＥＰ３で、照明用電力供給モード選択手段１５の設定が、照明手段５の点灯制御状況を優先にしている場合、ＳＴＥＰ７に進み、照明モード選択手段１３にて、照明手段５の点灯制御方法がどのような設定にされているか判断する。照明手段５の点灯制御方法が全灯（連続点灯）モードに設定されている時は、ＳＴＥＰ８に進み、供給電力切換え手段１６を制御し、商用電源を直流化した照明用ＤＣ電源１４の電力を、照明手段５へ供給し、照明手段を点灯する。ＳＴＥＰ７で、照明モード選択手段１３にて、照明手段５の点灯制御方法が全灯モードでないモードに設定されている時、ＳＴＥＰ９に進み、供給電力切換え手段１６を制御し、蓄電池３の電力を、照明手段５へ供給し、照明手段を点灯する。
【００３０】
次に、人体検知手段１８を自動販売機前面に配置した場合の動作について、説明する。人体検知手段１８は、例えば赤外線センサ、超音波センサ、光電スイッチ、光センサなどで構成されており、自動販売機２の販売対応面の前方を検知領域として、この検知領域に進入する人体を検知するものである。
【００３１】
図３において、蓄電池３の電力を照明手段５へ供給している時（ＳＴＥＰ５、或いは、ＳＴＥＰ９）、人体検知手段１８にて、自動販売機２周辺に人がいないと判断した時は、照明手段５を消灯する。
【００３２】
以上のように本実施の形態の自動販売機の制御装置によれば、太陽光を受けて発電するソーラーパネル１と、ソーラーパネル１により発電された電力を充電する蓄電池３と、蓄電池３の充電量を検知する充電量検知手段１２と、自動販売機２の商品展示部４の見本商品を照らす照明手段５と、照明手段５への電力供給方法を選択できる照明用電力供給モード選択手段１５と、照明手段５の点灯制御方法を選択できる照明モード選択手段１３と、照明手段５への電力供給元を照明用ＤＣ電源１４にするか蓄電池３にするかを切換える供給電力切換え手段１６を備え、充電量検知手段１２と照明用電力供給モード選択手段１５と照明モード選択手段１３を基に、供給電力切換え手段１６にて、照明手段５への電力供給源を照明用ＤＣ電源１４か蓄電池３のいずれかに切換えることにより、すぐに蓄電池３の充電量がなくなったり、蓄電池３で点灯している照明手段５がすぐに消えることを防止
することで、省エネルギー効果を低下させることなく、集客効果を高めることができる。
【００３３】
また、照明手段５に蓄電池３の電力を供給している場合で、人体検知手段１８で人がいないと判定している時は、照明手段５を消灯することで、無人時には蓄電池３の無駄な消費を防止でき、省エネルギー効果を更に高めることができる。
【００３４】
尚、本実施例では、照明モード選択手段での判定を、全灯かそうでないかで区分けしたが、別の点灯制御条件、例えば、点灯する照明手段の数量、間欠制御時間間隔等で区分けしても良い。
【００３５】
また、充電量検知手段１２で判定する蓄電池３の充電量の判定値を一定値でなく、照明手段の消費電力量別、或いは、点灯制御方法別に判定値を変更しても構わない。
【産業上の利用可能性】
【００３６】
以上のように、本発明にかかる自動販売機は、ソーラーパネルにより発電された電力を蓄電池を介して照明手段に用いるもので、照明手段への電力供給源を商用電源か蓄電池に切換制御することで省エネルギー効果を低下させることなく、集客効果を高めることができるので、ソーラーパネルにより発電された電力を蓄電池を介して照明手段に用いるあらゆる自動販売機器に適用できる。
【符号の説明】
【００３７】
１  ソーラーパネル
３  蓄電池
５  照明手段
６  商品選択手段
１２  充電量検知手段
１３  照明モード選択手段
１５  照明用電力供給モード選択手段
１６  供給電力切換え手段
１７ａ  制御装置
１８  人体検知手段
【図１】
0005499787.tif 000002
【図２】
0005499787.tif 000003
【図３】
0005499787.tif 000004